(57)【要約】【課題】機器内蔵物を機器本体に向かって真っ直ぐ一方向に移動するだけで組付け作業性ができる箱体構成の機器を提供する。【解決手段】第一の突起部５ａと第二の突起部５ｂを具備した機器の箱体と、前記箱体に前方から挿入され固定される機器内蔵物とを備えた機器であって、前記機器内蔵物はその左右両端部にそれぞれ係合爪３を具備し、前記係合爪は第一の傾斜部３ａと第二の傾斜部３ｂを持ち、前記内蔵物を前方から前記機器内部へと挿入するとき、前記第一の傾斜部３ａが前記第一の突起部５ａに乗上げ、前記機器内蔵物の一部が前記第二の突起部５ｂに当接し、さらに前記機器内蔵物を挿入するとき、前記係合爪の第二の傾斜部３ｂが前記第一の突起部に乗上げて係止される構成としてある。これにより、機器内蔵物を機器本体に向かって真っ直ぐ一方向に移動するだけで組付け作業性ができる。【選択図】図８
2015010755.tif 000002
【特許請求の範囲】
【請求項１】
内部に第一の突起部と第二の突起部を具備した機器の箱体と、前記箱体に前方から挿入され固定される機器内蔵物とを備えた機器であって、前記機器内蔵物はその左右両端部に前記第一の突起部と第二の突起部に対応してそれぞれ係合爪を具備し、前記係合爪は第一の傾斜部と第二の傾斜部を有し、前記内蔵物を前方から前記箱体内部へと挿入するとき、前記第一の傾斜部が前記第一の突起部に乗上げ、前記機器内蔵物の一部が前記第二の突起部に当接し、さらに前記機器内蔵物を挿入するとき、第二の傾斜部が前記第一の突起部に乗上げて係止されることを特徴とする箱体構成の機器。
【請求項２】
第二の傾斜部が第一の突起部に乗上げるとき、機器内蔵物の少なくとも一部が弾性変形することを特徴とする請求項１記載の箱体構成の機器。
【請求項３】
第一の突起部は箱体の両端部近傍に設けられ、第二の突起部は前記両端部近傍を除く部分に設けられていることを特徴とする、請求項１あるいは２のいずれかに記載の箱体構成の機器。
【請求項４】
箱体は空気調和機の室内機本体の台枠であり、機器内蔵物は前記空気調和機のフィルター自動清掃装置であることを特徴とする請求項１〜３のいずれかに記載の箱体構成の機器。
【発明の詳細な説明】
【技術分野】
【０００１】
本発明は、箱体の構成を持つ機器に関する。
【背景技術】
【０００２】
従来の箱体構成を持つ機器、例えば空気調和機には、室内機のフィルター清掃装置上端に備えた引っ掛け突起を前記室内機の台枠上部に備えた引っ掛け穴部に係合させ、前記フィルター枠の下端を前記空気調和機に備えられた吹出しグリルの上部にネジ固定する構成が提案されている（例えば、特許文献１参照）。
【先行技術文献】
【特許文献】
【０００３】
【特許文献１】特開２００６−１４５２０６号公報
【発明の概要】
【発明が解決しようとする課題】
【０００４】
従来の箱体構成を持つ空気調和機の場合、フィルター清掃装置の本体への組付け方法は、前記フィルター清掃装置を一定角度傾けた状態に保ちながら奥へ移動して、引っ掛け突起を前記台枠の引っ掛け穴部に係合しなければならないため、前記フィルター清掃装置の傾け角度のバラツキにより前記台枠の引っ掛け穴部に通し難くなる場合が発生し、組付け作業に手間が掛かっていた。
【０００５】
本発明はこのような点に鑑みてなしたもので、箱体構成の機器内蔵物を機器本体に向かって真っ直ぐ一方向に移動するだけで組付けできる作業性のよい箱体構成の機器を提供することを目的としている。
【課題を解決するための手段】
【０００６】
上記目的を達成するために、本発明の請求項１に記載の発明は、内部に第一の突起部と第二の突起部を具備した機器の箱体と、前記箱体に前方から挿入され固定される機器内蔵物とを備えた機器であって、前記機器内蔵物はその左右両端部に前記第一の突起部と第二の突起部に対応してそれぞれ係合爪を具備し、前記係合爪は第一の傾斜部と第二の傾斜部を有し、前記内蔵物を前方から前記箱体内部へと挿入するとき、前記第一の傾斜部が前記第一の突起部に乗上げ、前記機器内蔵物の一部が前記第二の突起部に当接し、さらに前記機器内蔵物を挿入するとき、前記第二の傾斜部が前記第一の突起部に乗上げて係止される構成にしたものである。
【０００７】
これによって、箱体構成の機器内蔵物を機器本体に向かって真っ直ぐ一方向に移動するだけで、容易に組付け作業を行うことができる。
【発明の効果】
【０００８】
本発明の箱体構成を持つ機器は、機器内蔵物を前方から機器内部へと挿入するときに、係合爪の第一の傾斜部が第一の突起部に乗上げ、機器内蔵物の一部が第二の突起部に当接し、さらに前記機器内蔵物を奥へ挿入するとき、前記係合爪の第二の傾斜部が前記第一の突起部に乗上げて係止されるため、組付け作業を安定した形で容易に行うことができる。
【図面の簡単な説明】
【０００９】
【図１】本発明の一実施例による機器内蔵物になるフィルター自動清掃装置の正面図
【図２】同機器の箱体となる台枠の正面図
【図３】同機器のフィルター自動清掃装置の（ａ）左斜視図及び（ｂ）右斜視図
【図４】同機器の図３の（ａ）左斜視図の部分詳細図及び（ｂ）右斜視図の部分詳細図
【図５】同機器の図３の（ａ）左側から見た部分平面図及び（ｂ）右側から見た部分平面図
【図６】同機器の台枠の（ａ）左斜視図及び（ｂ）右斜視図
【図７】同機器の図６の（ａ）左斜視図の部分詳細図及び（ｂ）右斜視図の部分詳細図
【図８】同機器の台枠とフィルター自動清掃装置の組付け状態の左側面図
【図９】同機器の図８の係合部の詳細図
【図１０】同機器のフィルター枠上部の係合部の組付け軌跡を表した図
【図１１】同機器の内蔵物フィルター枠上部の係合部の取外し軌跡を表した図
【発明を実施するための形態】
【００１０】
第１の発明は、内部に第一の突起部と第二の突起部を具備した機器の箱体と、前記箱体に前方から挿入され固定される機器内蔵物とを備えた機器であって、前記機器内蔵物はその左右両端部に前記第一の突起部と第二の突起部に対応してそれぞれ係合爪を具備し、前記係合爪は第一の傾斜部と第二の傾斜部を有し、前記内蔵物を前方から前記箱体内部へと挿入するとき、前記第一の傾斜部が前記第一の突起部に乗上げ、前記機器内蔵物の一部が前記第二の突起部に当接し、さらに前記機器内蔵物を挿入するとき、前記第二の傾斜部が前記第一の突起部に乗上げて係止される構成にしたものである。これによって、箱体構成の機器内蔵物を機器本体に向かって真っ直ぐ一方向に移動するだけで、容易に組付け作業を行うことができる。
【００１１】
第２の発明は、第１の発明において、前記第二の傾斜部が前記第一の突起部に乗上げるとき、機器内蔵物の少なくとも一部が弾性変形しながら係止されるものである。これによって、真っ直ぐ一方向の移動を安定化させることができる。さらに、係止が終わるタイミングに前記機器内蔵物の弾性変形が開放されクリック感が生じることにより、係止の感覚が分かり係合を容易に確認することができる。
【００１２】
第３の発明は、第２の発明において、前記第一の突起部は前記箱体の両端部近傍に設けられ、前記第二の突起部は前記両端部近傍を除く部分に設けられているものである。これによって、前記機器内蔵物の弾性変形の応力の安定化を図ることができる。
【００１３】
第４の発明は、第３の発明において、前記箱体は空気調和機の室内機本体の台枠であり、前記機器内蔵物は前記空気調和機のフィルター自動清掃装置である。これにより、前記フィルター自動清掃装置を前記室内機本体に向かって真っ直ぐ一方向に移動するだけで、容易に組付け作業を行うことができる。
【００１４】
以下、本発明の実施の形態について、図面を参照しながら説明する。なお、この実施の形態によって本発明が限定されるものではない。
【００１５】
（実施の形態１）
箱体である空気調和機の室内機本体内には、機器内蔵物である空気調和機のフィルター自動清掃装置が具備されている。
【００１６】
図１、図３に示すように、前記フィルター自動清掃装置１は、フィルター枠２をベースとして空気吸入側にエアフィルター１１と当該エアフィルター１１に付着した塵埃を吸引する吸引ノズル１２と吸引された塵埃を屋外へ排出する吸排気装置１４を具備し、前記吸引ノズル１２と前記吸排気装置１４を連通するホース１３を具備している。
【００１７】
また、前記フィルター枠２の上部左右両端部にそれぞれ横向きに延設した係合爪３を具備し、下部左右両端部にそれぞれネジ固定用座４を具備している。さらに図４、５に示すように、前記係合爪３にはその前後方向に第一の傾斜部３ａと第二の傾斜部３ｂが設けられている。
【００１８】
一方、前記フィルター自動清掃装置１を組付ける室内機本体１０は、図２に示すように、その台枠５の上部内側に前記フィルター自動清掃装置１の係合爪３を嵌め合わせる第一の突起部５ａと第二の突起部５ｂを具備し、また吹出しグリル６の右側に下羽根駆動メカ７、左側に上羽根駆動メカ８を具備しており、前記下羽根駆動メカ７と上羽根駆動メカ８のそれぞれに前記フィルター自動清掃装置１のネジ固定用座４を固定するネジボス部７ａ、８ａが設けられている。
【００１９】
なお、上記室内機本体１０の内部には、図８に示すように、前記エアフィルター１１の下流側に設けられ吸い込まれた室内空気と熱交換するための熱交換器１５と、熱交換器１５で熱交換した空気を搬送するための送風ファン（図示せず）と、送風ファンから送風された空気を室内に吹き出す吹出し口６ａを開閉するとともに空気の吹き出し方向を上下に変更する上羽根（図示せず）と下羽根（図示せず）と空気の吹き出し方向を左右に変更する左右羽根（図示せず）を備えている。
【００２０】
次に上記のように構成された室内機本体１０へのフィルター自動清掃装置１の組付け方法について説明する。
【００２１】
図８は、フィルター自動清掃装置１の室内機本体１０への組付け状態を示している。
また、図９は前記組付け状態のフィルター枠２の係合爪３回りを部分拡大したもので、台枠５の第一の突起部５ａの奥側の空間にフィルター枠２の係合爪３が収まっている状態を示している。
【００２２】
図１０は、組付け時のフィルター枠２の係合爪３の軌跡の流れを示したもので、まず、同右下図のように台枠５の第一の突起部５ａの上部にフィルター枠２の係合爪３に設けた第一の傾斜部３ａが接触した状態で、そのまま奥へ移動すると前記第一の傾斜部３ａが前記台枠５の第一の突起部５ａの上部に滑るように乗り上げて左下図の状態になり、さらに奥へ移動すると前記係合爪３に設けた第二の傾斜部３ｂが前記台枠５の第一の突起部５ａの上部に乗り上げた状態になり（この時、フィルター枠２の両端部が弾性変形した状態になっている）さらに奥へ移動すると、図９のように前記係合爪３が前記第一の突起部５ａの奥側に収納された状態になる（この時、フィルター枠２の弾性変形は解放された状態になる）ことにより、フィルター自動清掃装置１上部の取付けが完了する。
【００２３】
さらに、フィルター自動清掃装置１のフィルター枠２下部の両端部のネジ固定用座４の右側を前記吹出しグリル６に備えた下羽根駆動メカ７のネジボス部７ａにネジ固定し、さらに前記ネジ固定用座４の左側を前記吹出しグリル６に備えた上羽根駆動メカ８のネジボス部８ａにネジ固定することにより、フィルター自動清掃装置１の下部の取付けが完了して、組付け作業が完了するものである。
【００２４】
ここで、この実施の形態では、前記第二の傾斜部３ｂが前記第一の突起部５ａに乗上げるとき、フィルター枠２の少なくとも一部が弾性変形しながら係止されるものである。これによって、フィルター自動清掃装置１の真っ直ぐ一方向への移動を安定化させることができる。さらに、係止が終わるタイミングに前記フィルター枠２の弾性変形が開放されクリック感が生じることにより、係止の感覚が分かり係合を容易に確認することができる。
【００２５】
また、前記第一の突起部５ａは室内機本体１０の両端部近傍に、また前記第二の突起部５ｂは前記両端部近傍を除く部分に設けられているから、前記フィルター枠２の弾性変形の応力の安定化を図ることができる。
【００２６】
次に、フィルター自動清掃装置１の取外し方法について説明する。
【００２７】
まず、前記のフィルター自動清掃装置１下部の両端部のネジをそれぞれ外し、図１１の左図のようにフィルター枠２の手前を上方に一定角度（Ａ°）傾斜させることにより、前記フィルター枠２の係合爪３に設けた第二の傾斜部３ｂの下端が台枠５の第一の突起部５ａの上部から離れる。さらに、その状態で図１１右図のようにそのまま手前に移動することにより、室内機本体１０からフィルター自動清掃装置１を取外すことができるものである。
【産業上の利用可能性】
【００２８】
本発明に係る箱体構成の機器は、箱体内蔵物の組付け作業及び取外し作業が安定した形で容易に行うことができるので、箱体構成を持つ各種機器に有用である。
【符号の説明】
【００２９】
１  フィルター自動清掃装置（機器内蔵物）
２  フィルター枠
３  係合爪
３ａ  第一の傾斜部
３ｂ  第二の傾斜部
４  ネジ固定用座
５  台枠
５ａ  第一の突起部
５ｂ  第二の突起部
６  吹出しグリル
６ａ  吹出し口
７  下羽根駆動メカ
７ａ  ネジボス部
８  上羽根駆動メカ
８ａ  ネジボス部
１０  室内機本体（箱体）
１１  エアフィルター
１２  吸引ノズル
１３  ホース
１４  吸排気装置
１５  熱交換器
【図１】
2015010755.tif 000003
【図２】
2015010755.tif 000004
【図３】
2015010755.tif 000005
【図４】
2015010755.tif 000006
【図５】
2015010755.tif 000007
【図６】
2015010755.tif 000008
【図７】
2015010755.tif 000009
【図８】
2015010755.tif 000010
【図９】
2015010755.tif 000011
【図１０】
2015010755.tif 000012
【図１１】
2015010755.tif 000013